(57)【要約】      （修正有）【課題】シンプルで実用的かつプラスチックを使用せず、耐久性に優れ、折り畳んでポケットに常時入れて持ち歩くことが可能で、必要時にすぐ出して使え、耐水性で、くり返し数回は使用でき、素材経費が少ないストーンペーパーマスク入れを提供する。【解決手段】ストーンペーパーマスク入れは、ストーンペーパー（厚さ１００μ、Ａ４版）１枚を半分に折り、底辺となる短辺７だけを両面テープで接着して袋にする。この袋の外側につまみとなるシール８を表裏に１枚ずつ貼ることでマスク挿入時の袋の開口を衛生的に奥底まで十分広げて開けることができ、スムースにマスクの収納が可能になり、手を汚さない。更に貼り換え可能シールを廃棄用封シール９として外側に１枚貼りつけることで、使用後の廃棄マスクを袋ごと折り畳んで封シールを貼って廃棄する。無駄な物を一切省いてストーンペーパーの特徴の耐久性と耐水性に着目し、利点を最大限活かすように形成された実用性に富んだマスク入れである。【選択図】図２
0003230651.tif 000002
【実用新案登録請求の範囲】
【請求項１】
ストーンペーパー厚さ１００μのＡ４版１枚を使用して、長辺の真ん中で折り目が付くように辺の端を揃えて半分に折り、縦長の袋になるように底辺に当たる辺を両面テープで接着する。これで袋の折り目の辺と底辺は閉じ、他の２辺は開いた状態になる。
その袋の外側表面に袋を開けるとき衛生的に奥までしっかり開口するように摘み用のシールを１枚ずつ表裏の同じ位置に貼り付けこれによって両手の指先で摘んで左右に引っ張ることにより袋の奥底まで十分広げることができ衛生的なマスクの出し入れが可能となる。更に、袋の外側表面に貼り換え可能なシールを１枚貼っておくことで収納したマスクを廃棄する際に袋ごと折り畳んだ上、そのシールを使って封をすればマスクは袋に収まったまま小さくまとまりそのまま可燃ゴミとなって環境衛生にも良い。形成されたマスク入れは、素材のストーンペーパーの特徴である耐久性、耐水性を活かし、折り畳んでポケットなどに常時持ち歩くことが可能となり便利が良い、袋を大きく開口できる摘み用シールと廃棄用シールを貼り付けてあるのでより衛生的なことを特徴とする、ストーンペーパーマスク入れ
【考案の詳細な説明】
【技術分野】
【０００１】  本考案はストーンペーパーＡ４版１枚を半分に折り袋状にした袋の表面にシールを摘み用として貼り付け衛生的に袋の開閉ができ、マスクを入れたままでも自由に折り畳み可能で常時ポケットに入れられる便利なストーンペーパーマスク入れに関するもの。
【背景技術】
【０００２】  現在、市販のマスクケースは、おしゃれで高価でかさばる物やビニル袋などのプラスチック系がほとんどで実用性に欠ける。このカテゴリーが出来て日が浅いため人々が本当に求めている物がまだ登場していない。日常生活でマスクを外すとマスクの持っていきようがないのでそのまま机の上に置くかポケットに仕舞うかであるがどちらも不衛生と思いつつも仕方がないのでやってしまうのが現状。
【考案の概要】
【考案が解決しようとする課題】
【０００３】  新型コロナで世界が一変してしまった。世界中がマスク争奪戦になるなんて、だれも夢にも思わなかった。昔、オイルショックの時に日本ではトイレットペーパー不足になったが一過性に終わったが、今回のマスク事情は世界規模であり、今後の人類の姿を変えメガネや帽子のように頭部に添える物として必需品になってしまった。メディアの映像や街ゆく人のマスクは只今、百花繚乱。マスク元年の今年からこの後だんだんと機能やデザインが洗練されて行くだろう。【０００４】次に世間の気掛かりは、マスクを食事などで一時的に外した場合にどうするかである。マスクの持って行きようがない。テーブルの脇にそっと置くのは人目を憚る、自分の服のポケットに押し込むとむき出しのマスクに付着した菌の乱舞が自分のポケットの中とは言えいやになる。衛生的でスマートなマスクエチケットが確立されていないので世界中のマスク散乱ゴミが不衛生で問題となる。解決法は人々が自分のマスクは自分の責任での意識を持つこと、似た例はチューインガムを噛んだ後はポケットから紙を取り出し包んで捨てるマナーが定着し、道端に吐き捨てる人は見なくなった。マスクの場合も自分のマスクを入れる袋やパックを常時ポケットに携帯することが必要。
【課題を解決するための手段】
【０００５】  マスクの扱いに関する課題を解決するにはストーンペーパーの耐久性、耐水性の特徴が有用になる。私は以前からストーンペーパーに関心があり色々と実験を行った。破れにくい特徴には正しく驚いた。３年間の長期間ズボンのポケットにストーンペーパーを折り畳んで入れたままで毎日日常活動を行い観察して劣化を見た結果は想像を遥かに超えるものでそのＡ４、１００μのストーンペーパーは全く破れもしていない、もちろん折り目もほとんど破れていない、しかもプリントした印字まで綺麗なままである、強いて言うなら、ストーンペーパーの白さと腰が劣化したかなぐらいで全く気にもならない状態で、すばらしい耐久性が実証できた。普通紙なら数日でモロモロの状態になりボロボロになるところだ。こんな気の長い実験を行ったのは、世界で私だけだろう。この出願に写真添付ができればご覧いただけるものだが残念。このように身をもった実証実験をもってマスク袋を小さく折り畳んでポケットに長期間忍ばせていても大丈夫だと言える。また、今回はストーンペーパーに対して使用される除菌用アルコール液、食器用洗剤をふりかけて実験したがストーンペーパーには何の変化もなく影響はない。軽く水洗いできる耐水性があり袋の内面を洗った水切り用に角を切り落とし穴を開けたことでティッシュペーパーなどを使い水分を簡単に拭き取れる手軽さがあるうえストーンペーパー販売元の説明には食品、飲料向け用途には使用可能、但し強酸性は不適と記されているのでマスクに接触する素材として問題はない。特に使用中のマスクを一時入れるに際し衛生的に手を汚さず袋の口を大きく開ける方法として袋の外側の表裏に摘みシールを貼ることで、そこを持って両手で開けるので袋の中に手を突っ込む必要がなくマスク全体を袋にしっかり収納できる。
【考案の効果】
【０００６】以上の説明から明らかなように本考案にあたって次に列挙する効果が得られる。
（１）考案のストーンペーパーマスク入れは常時ポケットに折り畳んで入れ日常行動をしても損傷しないのでしっかりマスクの保護ができ、くり返し使えるのでいつでも、どこでも即座に利用できる便利さによりマスクを外して一時保管するときにはポケットから小さく畳んだストーンペーパーマスク入れを取り出してパカッと拡げ、そこにマスクをサッと入れ袋を畳んでポケットにサッと仕舞い込む。衛生的でスマートな所作は魅力的に映り一つのマスクマナーが確立し、不衛生に机の上に置くことはなくなる。【０００７】（２）ストーンペーパーマスク入れの袋に摘みシールを貼りその摘みでマスクを入れやすいように袋を大きく開けることができて衛生的であり、さらに添付の封用シールを使うことで廃棄時にマスクが畳んだ袋から飛び出さないのでそのまま可燃ゴミにできる。
【図面の簡単な説明】
【０００８】
【図１】本考案のストーンペーパーマスク入れの正面図である。
【図２】ストーンペーパーマスク入れの立体図である。
【符号の説明】
【０００９】  １  袋の折り目
２  袋の底  糊付け
３  つまみ用シール  袋の反対側にも
４  封用シール
５  水切り穴
６  袋の折り目
７  袋の底  糊付け
８  つまみ用シール  袋の反対側にも
９  封用シール
１０  水切り穴
１１  開口部
【図１】
0003230651.tif 000003
【図２】
0003230651.tif 000004
【手続補正書】
【提出日】令和2年11月10日(2020.11.10)
【手続補正１】
【補正対象書類名】実用新案登録請求の範囲
【補正対象項目名】全文
【補正方法】変更
【補正の内容】
【実用新案登録請求の範囲】
【請求項１】
素材のストーンペーパーの特徴である耐久性、耐水性を活かすべくストーンペーパーＡ４用紙を半分に折りマスク収納ができる袋状にして、その表面に開口用シールを貼り付けて形成することで、マスクを入れ折り畳んでポケットなどに常時携帯することが可能となることを特徴とする、ストーンペーパーマスク入れ。